(57)【特許請求の範囲】
【請求項１】
接続端子が保持された第１のコネクタ体と、前記接続端子に接続される被接続端子が保持された第２のコネクタ体との嵌合接続により、前記接続端子と被接続端子とが相互に接続状態とされるコネクタ装置において、
前記第１のコネクタ体に、前記接続端子が嵌合状態で固定保持されると共に、前記第２のコネクタ体との前記嵌合接続により前記被接続端子が嵌合されて前記相互の接続状態で両接続端子が緊密に固定保持される端子固定保持ケース部が一体に備えられ、
前記第２のコネクタ体に、前記端子固定保持ケース部に外嵌状に嵌合接続される嵌合凹部を有する外嵌ハウジング部が備えられ、嵌合凹部に連通形成された端子保持孔を通じて嵌合され、外嵌ハウジング部の嵌合凹部内に位置する前記被接続端子を前記接続端子と接続可能な姿勢で、かつ僅かの姿勢変更を許容した状態で保持すると共に、前記端子固定保持ケース部に対する外嵌ハウジング部の嵌合接続時に、その嵌合方向と反対方向への前記被接続端子の移動を規制するために、被接続端子に対して前記反対方向から前記端子保持孔に嵌合される蓋体が備えられてなることを特徴とするコネクタ装置。
【請求項２】
前記被接続端子に、前記端子固定保持ケース部に嵌合されて前記接続端子に接続状態とされた際、端子固定保持ケース部に内外連通状に形成された係止孔に抜止係止される弾性変形自在な抜止係止片が備えられてなることを特徴とする請求項１記載のコネクタ装置。
【請求項３】
前記係止孔内に出退操作自在で、該係止孔内に対する突出操作により前記抜止係止片の前記抜止係止状態を解除する解除レバーが、前記外嵌ハウジングに撓み変形自在に一体に備えられてなることを特徴とする請求項２記載のコネクタ装置。
【請求項４】
前記第１のコネクタ体が、ガラスフィラーが混入された合成樹脂で形成されてなることを特徴とする請求項１、２または３記載のコネクタ装置。
【発明の詳細な説明】
【０００１】
【発明の属する技術分野】
本発明は、自動車、産業機器等の電気配線に用いられるワイヤーハーネスにおける電線同士や、電線と各種機器との相互の接続に利用されるコネクタ装置に関するものである。
【０００２】
【従来の技術】
従来、この種のコネクタ装置として、例えば、図５に示されるようなワイヤーハーネス用のコネクタ装置があり、このコネクタ装置は互いに嵌合接続される合成樹脂製の雄側コネクタ体１と雌側コネクタ体２とを備えた構成とされている。
【０００３】
前記雄側コネクタ体１のハウジング部１ａには、各電線３の一端部にそれぞれ接続された接続端子としての雌端子４が、嵌合される嵌合孔１ｂがそれぞれ形成されている。そして、ハウジング部１ａの各嵌合孔１ｂにそれぞれ前記雌端子４が嵌合されると共に、その嵌合状態で各雌端子４にそれぞれ形成された係止部（図示省略）に、ハウジング部１ａに弾性変形自在に備えられた各ランス部１ｃが弾発状に抜止係止されている。ここに、各雌端子４はハウジング部１ａの各嵌合孔１ｂの所定位置でそれぞれ緊密に固定保持される。
【０００４】
前記雌側コネクタ体２のハウジング部２ａには、各電線５の一端部にそれぞれ接続された被接続端子としての雄端子６が、嵌合される嵌合孔２ｂがそれぞれ形成されている。そして、ハウジング部２ａの各嵌合孔２ｂにそれぞれ前記雄端子６が嵌合されると共に、その嵌合状態で各雄端子６にそれぞれ形成された係止部（図示省略）に、ハウジング部２ａに弾性変形自在に備えられた各ランス部２ｃが弾発状に抜止係止されている。ここに、各雄端子６はハウジング部２ａの各嵌合孔２ｂの所定位置でそれぞれ緊密に固定保持される。
【０００５】
また、雌側コネクタ体２のハウジング部２ａには、雄側コネクタ体１のハウジング部１ａが嵌合される嵌合凹部２ｄが備えられ、嵌合凹部２ｄに対する雄側コネクタ体１の嵌合状態で、弾性変形を利用して互いに係合し、相互の離脱を有効に防止する係合手段としての係合孔部１ｅと係合突部２ｅとが各ハウジング部１ａ、２ａにそれぞれ備えられている。
【０００６】
そして、雌側コネクタ体２の嵌合凹部２ｄ内に雄側コネクタ体１のハウジング部１ａを嵌合させることにより、各雌端子４の角筒状の接続部に各雄端子６の平板状の接続部が嵌合されて、相互の接続部の弾接状態により電気的接続を得る構造とされていた。
【０００７】
この種のコネクタ装置として例えば、特開平８−１９０９５７号公報に示される如くである。
【０００８】
【発明が解決しようとする課題】
しかしながら、近年のエレクトロニクスの進歩は著しく、例えば、カーエレクトロニクスにあっては、自動車に搭載される電子機器やＣＰＵの数が飛躍的に増大し、コネクタ装置の多極化・小型化も著しく進んでいる。
【０００９】
特に、各端子４、６が小型化すると、雄端子６・雌端子４相互の接点の接触圧力が低下傾向にある。一方、各端子４、６はハウジング部１ａ、２ａに緊密に固定保持されているため、各コネクタ体１、２の嵌合接続による各端子４、６の接点位置は各コネクタ体１、２の嵌合位置によって決定されていた。
【００１０】
この場合、各コネクタ体１、２に対する周囲からの機械振動や、温度変化による熱膨張・熱収縮により、各端子４、６の接点位置が移動しやすくなり、その結果、微摺動摩耗による接点劣化が生じ、接点部分に摩耗粉（主として接点表面金属の酸化物微粉末）が発生し、振動により移動した接点部分が堆積した摩耗粉に乗り上げ、一時的に接触抵抗が上昇するという障害が生じ、電子機器の使用における制御信号やデータ転送の不良を招くおそれがあった。
【００１１】
そこで、本発明の課題は、接続端子相互間の接点移動を有効に防止して微摺動摩耗による接点劣化の軽減を図ったコネクタ装置を提供することを目的とする。
【００１２】
【課題を解決するための手段】
上記の課題を解決するための技術的手段は、接続端子が保持された第１のコネクタ体と、前記接続端子に接続される被接続端子が保持された第２のコネクタ体との嵌合接続により、前記接続端子と被接続端子とが相互に接続状態とされるコネクタ装置において、前記第１のコネクタ体に、前記接続端子が嵌合状態で固定保持されると共に、前記第２のコネクタ体との前記嵌合接続により前記被接続端子が嵌合されて前記相互の接続状態で両接続端子が緊密に固定保持される端子固定保持ケース部が一体に備えられ、前記第２のコネクタ体に、前記端子固定保持ケース部に外嵌状に嵌合接続される嵌合凹部を有する外嵌ハウジング部が備えられ、嵌合凹部に連通形成された端子保持孔を通じて嵌合され、外嵌ハウジング部の嵌合凹部内に位置する前記被接続端子を前記接続端子と接続可能な姿勢で、かつ僅かの姿勢変更を許容した状態で保持すると共に、前記端子固定保持ケース部に対する外嵌ハウジング部の嵌合接続時に、その嵌合方向と反対方向への前記被接続端子の移動を規制するために、被接続端子に対して前記反対方向から前記端子保持孔に嵌合される蓋体が備えられてなる点にある。
【００１３】
また、前記被接続端子に、前記端子固定保持ケース部に嵌合されて前記接続端子に接続状態とされた際、端子固定保持ケース部に内外連通状に形成された係止孔に抜止係止される弾性変形自在な抜止係止片が備えられてなる構造としてもよい。
【００１４】
さらに、前記係止孔内に出退操作自在で、該係止孔内に対する突出操作により前記抜止係止片の前記抜止係止状態を解除する解除レバーが、前記外嵌ハウジングに撓み変形自在に一体に備えられてなる構造としてもよい。
【００１５】
また、前記第１のコネクタ体が、ガラスフィラーが混入された合成樹脂で形成されてなる構造としてもよい。
【００１６】
【発明の実施の形態】
以下、本発明の第１の実施形態を図面に基づいて説明すると、図１ないし図３に示される如く、コネクタ装置１０は、第１のコネクタ体としての雄側コネクタ体１１と、第２のコネクタ体としての雌側コネクタ体１２とを備えた構成とされ、それぞれ合成樹脂により成形されている。
【００１７】
前記雄側コネクタ体１１の基体部１１ａ一側面側には、端子固定保持ケース部１１ｂが一体に備えられている。そして、基体部１１ａの他側面から端子固定保持ケース部１１ｂに貫通形成された端子嵌合孔１１ｃが、幅方向（図１における紙面方向）に所定間隔を有して複数並設されている。
【００１８】
また、端子固定保持ケース部１１ｂの上面側には、各端子嵌合孔１１ｃの長手方向（図１における左右方向）に離隔して一対の係止孔１１ｄ、１１ｅがそれぞれ所定位置に形成されている。
【００１９】
そして、各電線１３の一端部にそれぞれ接続された接続端子としての雄端子１４が、各端子嵌合孔１１ｃ内に前記他側面側から嵌合され、端子嵌合孔１１ｃ内の所定位置で、雄端子１４に備えられた弾性変形自在な抜止係止片１４ａが前記係止孔１１ｄ内に弾性復帰により突出して抜止係止され、ここに各雄端子１４が各端子嵌合孔１１ｃ内に抜止状態で装着される。
【００２０】
この際、雄端子１４に適宜備えられた弾性変形自在な弾性保持片もしくは雄側コネクタ体１１側に備えられた弾性変形自在な押圧保持片により、雄端子１４は端子嵌合孔１１ｃ内でその弾発力により密嵌状態に保持され、ここに、各雄端子１４は雄側コネクタ体１１の各端子嵌合孔１１ｃ内でそれぞれ緊密に固定保持された構造とされている。
【００２１】
前記雌側コネクタ体１２の基体部１２ａの端子固定保持ケース部１１ｂに対応する他側面側には、端子固定保持ケース部１１ｂに外嵌状に嵌合接続される嵌合凹部１２ｂを有する外嵌ハウジング部１２ｃが備えられている。そして、基体部１２ａの一側面から嵌合凹部１２ｂに連通形成された端子保持孔１２ｄが、前記端子嵌合孔１１ｃと同様、幅方向（図１における紙面方向）に所定間隔を有して複数並設されている。
【００２２】
また、各端子保持孔１２ｄの上面側には、装着される被接続端子としての雌端子１５を所望姿勢で保持する姿勢保持突部１２ｅが、所定位置に突出形成されている。
【００２３】
さらに、基体部１２ａの一側面側には、各端子保持孔１２ｄを閉塞状として嵌脱自在に嵌合される嵌合部をそれぞれ有する蓋体１２ｆが、揺動変形自在な薄肉連結片１２ｇにより一体に備えられている。
【００２４】
そして、各電線１６の一端部にそれぞれ接続された雌端子１５が、各端子保持孔１２ｄを通じて前記他側面側から嵌合される。この際、雌端子１５に備えられた弾性変形自在な抜止係止片１５ａが姿勢保持突部１２ｅ位置の通過時に姿勢保持突部１２ｅにより弾性変形されると共に、通過後に弾性復帰し、離脱方向の移動が規制される。その後、各雌端子１５が嵌合凹部１２ｂの所定位置まで嵌合されると、姿勢保持突部１２ｅに雌端子１５一端部の電線１６被覆部分を圧着している被覆部圧着部が当接されて、それ以降の嵌合が規制される。
【００２５】
各雌端子１５の嵌合後、蓋体１２ｆの各嵌合部を各端子保持孔１２ｄに嵌合させて閉塞状態とすれば、各雌端子１５が嵌合凹部１２ｂ内に所定の姿勢で突出状に保持される。また、この際、端子保持孔１２ｄ内に位置する雌端子１５の前記被覆圧着部および電線１６の芯線部を圧着している芯線部圧着部と、端子保持孔１２ｄ内周面との相互間には僅かの隙間を有しており、僅かの姿勢変更を許容した状態で、雌端子１５を雄端子１４に対して接続可能な姿勢で保持している。
【００２６】
なお、前記蓋体１２ｆには、図３に示される如く、各電線１６が嵌合状とされる割溝部１２ｈがそれぞれ所定位置に形成されている。
【００２７】
そして、雄側コネクタ体１１の端子固定保持ケース部１１ｂを、雌側コネクタ体１２の嵌合凹部１２ｂ内に嵌合させることにより、端子固定保持ケース部１１ｂの各端子嵌合孔１１ｃ内に各雌端子１５の角筒状の接続部が嵌合されていき、各端子嵌合孔１１ｃ内に位置する各雄端子１４の平板状の接続部が雌端子１５の接続部に嵌合されいく。
【００２８】
その後、図２に示される如く、各端子嵌合孔１１ｃ内に嵌合された各雌端子１５の各抜止係止片１５ａが各係止孔１１ｅ位置で弾性復帰して抜止係止され、ここに各雌端子１５が各端子嵌合孔１１ｃ内に抜止状態で係止される。また、この際、各雄端子１４の接続部と各雌端子１５の接続部は互いに嵌合された接続状態とされ、雄側コネクタ体１１と雌側コネクタ体１２とは従来同様の係合突部と係合孔部との係合手段等による離脱防止手段により互いに着脱自在な係合状態とされている。
【００２９】
さらに、この端子嵌合孔１１ｃに対する雌端子１５の嵌合に際して、雄端子１４と同様、雌端子１５に適宜備えられた弾性変形自在な弾性保持片もしくは端子固定保持ケース部側に備えられた弾性変形自在な押圧保持片により、雌端子１５は端子嵌合孔１１ｃ内でその弾発力により密嵌状態に保持され、ここに、各雌端子１５と各雄端子１４とは相互に接続された状態で、雄側コネクタ体１１の各端子嵌合孔１１ｃ内でそれぞれ緊密に固定保持される。
【００３０】
この嵌合凹部１２ｂに対する端子固定保持ケース部１１ｂの嵌合工程で、各端子嵌合孔１１ｃに各雌端子１５が嵌合される際に生じる雌端子１５の雌側コネクタ体１２における離脱方向の反力は蓋体１２ｆで有効に支承する。
【００３１】
本実施形態は以上のように構成されており、各コネクタ体１１、１２が嵌合接続されて各端子１４、１５が相互に電気的に接続された状態にあっては、雄側コネクタ体１１に一体に形成された端子固定保持ケース部１１ｂに、各端子１４、１５が接続状態で緊密に固定保持されており、また、各雌端子１５は雌側コネクタ体１２側に若干の姿勢変更を許容した状態で保持されているため、各コネクタ体１１、１２にそれぞれ個別の機械振動等が生じた場合であっても、各端子１４、１５は接続状態で雄側コネクタ体１１と一体的に振動し、雌側コネクタ体１２側の振動の影響が緩和され、ここに各端子１４、１５相互間の接点移動が有効に防止でき、微摺動摩耗による接点劣化の影響が有効に軽減できる。
【００３２】
また、雄側コネクタ体１１の成形に際して、適宜割合でガラスフィラーが混入された合成樹脂を用いて成形すれば、熱膨張率を各端子１４、１５を構成する銅合金等に近づけることができ、温度変化による接点移動も最小限に押さえることができ、この点からも微摺動摩耗による接点劣化の影響を軽減できる。
【００３３】
図４は第２の実施形態を示しており、上記第１の実施形態と同様構成部分は同一符号を付し、その説明を省略する。
【００３４】
即ち、本実施形態においては、各コネクタ体１１、１２の嵌合接続状態で、係止孔１１ｅ位置に対応する外嵌ハウジング部１２ｃ位置に、解除レバー１８が撓み変形自在に一体に備えられており、この解除レバー１８の係止孔１１ｅ方向の撓み変形操作により、係止孔１１ｅ内に出退操作自在とされる。
【００３５】
そして、この係止孔１１ｅ内に対する突出操作により係止孔１１ｅに抜止係止されている抜止係止片１５ａを弾性に抗して押し下げ、係止孔１１ｅ内より離脱させ、端子固定保持ケース部１１ｂの端子嵌合孔１１ｃ内から雌端子１５の離脱を可能に構成されている。
【００３６】
従って、本実施形態によれば、上記第１の実施形態と同様の効果が得られると共に、各コネクタ体１１、１２の離脱作業も容易に行えるという利点がある。
【００３７】
なお、上記各実施形態において、端子固定保持ケース部１１ｂを備えた雄側コネクタ体１１に雄端子１４を備え、雌側コネクタ体１２に雌端子１５を備えた構造を示しているが、雄側コネクタ体１１に雌端子１５を備え、雌側コネクタ体１２に雄端子１４を備える構造であってもよい。
【００３８】
また、雄側コネクタ体１１側に端子固定保持ケース部１１ｂを備えた構造を示しているが、雌側コネクタ体１２側に端子固定保持ケース部１１ｂを備える構造であってもよい。
【００３９】
さらに、蓋体１２ｆを射出成形等により一体に成形した構造を示しているが、別体として形成してもよい。
【００４０】
また、端子固定保持ケース部１１ｂを雄側コネクタ体１１の基体部１１ａに一体に備えられた構造を示しているが、モータ等の機器にあっては、その接続部に端子固定保持ケース部１１ｂを一体に備えた構造としてもよい。
【００４１】
さらに、端子固定保持ケース部１１ｂと外嵌ハウジング部１２ｃとの嵌合接続状態において、雌端子１５が若干の移動を許容した状態で雌側コネクタ体１２側に保持されている構造を示しているが、この嵌合接続状態において、雌側コネクタ体１２による雌端子１５の機械的な保持を解除する構造であってもよい。
【００４２】
また、上記各実施形態において、４極タイプのコネクタ体１１、１２を示しているが、２極タイプあるいは多数の端子１４、１５を装着する多極タイプのコネクタ体１１、１２であってもよい。
【００４３】
【発明の効果】
以上のように、本発明のコネクタ装置によれば、第１のコネクタ体に、接続端子が嵌合状態で固定保持されると共に、第２のコネクタ体との嵌合接続により被接続端子が嵌合されて相互の接続状態で両接続端子が緊密に固定保持される端子固定保持ケース部が一体に備えられ、第２のコネクタ体に、端子固定保持ケース部に外嵌状に嵌合接続される嵌合凹部を有する外嵌ハウジング部が備えられ、嵌合凹部に連通形成された端子保持孔を通じて嵌合され、外嵌ハウジング部の嵌合凹部内に位置する被接続端子を接続端子と接続可能な姿勢で、かつ僅かの姿勢変更を許容した状態で保持すると共に、端子固定保持ケース部に対する外嵌ハウジング部の嵌合接続時に、その嵌合方向と反対方向への被接続端子の移動を規制するために、被接続端子に対して前記反対方向から前記端子保持孔に嵌合される蓋体が備えられてなるものであり、各コネクタ体が嵌合接続されて各接続端子が相互に電気的に接続された状態にあっては、第１のコネクタ体に一体に形成された端子固定保持ケース部に、各接続端子が接続状態で緊密に固定保持されており、また、被接続端子は第２のコネクタ体側に若干の姿勢変更を許容した状態で保持されているため、各コネクタ体にそれぞれ個別の機械振動等が生じた場合であっても、各接続端子は接続状態で第１のコネクタ体と一体的に振動し、第２のコネクタ体側の振動の影響が緩和され、ここに各接続端子相互間の接点移動が有効に防止でき、微摺動摩耗による接点劣化の影響が有効に軽減できる。
【００４４】
また、被接続端子に、端子固定保持ケース部に嵌合されて接続端子に接続状態とされた際、端子固定保持ケース部に内外連通状に形成された係止孔に抜止係止される弾性変形自在な抜止係止片が備えられ、係止孔内に出退操作自在で、該係止孔内に対する突出操作により抜止係止片の抜止係止状態を解除する解除レバーが、外嵌ハウジングに撓み変形自在に一体に備えられてなる構造とすれば、各コネクタ体の離脱作業も容易に行えるという利点がある。
【００４５】
さらに、第１のコネクタ体が、ガラスフィラーが混入された合成樹脂で形成されてなる構造とすれば、熱膨張率を各接続端子に近づけることができ、温度変化による接点移動も最小限に押さえることができ、この点からも微摺動摩耗による接点劣化の影響を軽減できるという利点がある。
【図面の簡単な説明】
【図１】本発明の第１の実施形態を示す組み付け前の断面図である。
【図２】同組み付け状態の断面図である。
【図３】図２のIII−III線矢視図である。
【図４】第２の実施形態を示す断面図である。
【図５】従来例を示す組み付け前の断面図である。
【符号の説明】
１０  コネクタ装置
１１  雄側コネクタ体
１１ｂ  端子固定保持ケース部
１１ｃ  端子嵌合孔
１１ｄ  係止孔
１１ｅ  係止孔
１２  雌側コネクタ体
１２ｂ  嵌合凹部
１２ｃ  外嵌ハウジング部
１２ｄ  端子保持孔
１２ｅ  姿勢保持突部
１２ｆ  蓋体
１２ｇ  薄肉連結片
１３  電線
１４  雄端子
１５  雌端子
１６  電線
１８  解除レバー
【図１】
0003988304.tif 000002
【図２】
0003988304.tif 000003
【図３】
0003988304.tif 000004
【図４】
0003988304.tif 000005
【図５】
0003988304.tif 000006